(57)【要約】【課題】プラスチックの外装を持つ様々な機械等に適用可能なキャップを提供する。【解決手段】外形が円形または略円形状のキャップ本体１１が、一対の爪形状部１２、１２、キャップ本体１１表面の回し操作用の溝形状部１３、裏面側の斜面部１４、１４、頂部１５の平坦面がある。キャップ１０の爪形状部１２と、開口３内部の引掛け形状部１５で、スナップフィットによりキャップ１０を取り付けできる。開口３の内部には、回り止め形状部１６、壁形状部１７、斜面部１８が設けてあり、斜面部１７の頂部乗りあがり面１４ａとしてある。キャップ１０を反時計回りに回すと、爪形状部１２が弾性変形で回り止め形状部１６を乗り越え、斜面形状部１４が斜面形状部１８を乗りあがり面１８ａの位置まで移動し、キャップ１０が画像形成装置本体１側の外装部の取付面から飛び出、さらに回すことで爪形状部１２が取付部から解除される。【選択図】図４
2010026108.tif 000002
【特許請求の範囲】
【請求項１】
キャップ本体に設けた爪形状部と、該爪形状部を、機械装置の取付部の引掛け形状によりスナップフィットにて取り付けかつ取り外すことができるキャップの装着構造において、前記キャップ本体の外形が円形または略円形状であって、前記爪形状部により前記取り付け部に対して一定の方向にのみ取付け可能で、前記キャップ本体の表面にコイン等での回し操作用の溝形状部を設け、コイン等にて回転させることで前記爪形状部の爪が前記取り付け部に設けた回り止めの段差を乗り越え、所定角度以下の回転で取り外しが可能な位置へ移動可能としてなることを特徴とするキャップの装着構造。
【請求項２】
請求項１のキャップの装着構造において、前記キャップ本体と前記取付部に設けた傾斜形状により、前記キャップの回転時に該キャップが前記取付部を設けた面から飛び出して容易に取り外し可能な状態になり得ることを特徴とするキャップの装着構造。
【請求項３】
請求項２のキャップの装着構造において、前記キャップ本体を所定方向回りに回すことで、前記キャップ本体の爪形状部が弾性変形により前記取り付け部の回り止め形状部を乗り越え、前記キャップ本体に設けた前記斜面形状と前記取付部に設けた前記斜面形状とにより、前記キャップ本体の斜面形状が前記取付部の斜面形状に乗りあがり、該斜面形状に連なる平坦面位置まで移動することで前記キャップ本体が前記取付部を設けた面から飛び出し、所定角度どちらかの方向へ回すことで前記爪形状部と前記取付部の取付を解除することを特徴とするキャップ装着構造。
【請求項４】
請求項２または３のキャップの装着構造において、前記爪形状部を前記キャップ本体の着脱方向の軸線の回りで対称位置に設け、該付け系上部の先端で前記取付部の前記傾斜形状の装着方向奥側面に引っ掛ける可能とし、前記キャップ本体を所定角度回した位置で前記取付部の前記傾斜形状が終わり、前記爪形状部が前記取付部の斜面部から外れて前記キャップ本体が取り外し可能としてなることを特徴とするキャップ装着構造。
【請求項５】
請求項１から４のいずれかのキャップ装着構造において、装着状態で前記キャップ本体の少なくとも前記溝形状を設けた面が前記機械装置の取付部から露出していることを特徴とするキャップ装着構造。
【請求項６】
請求項1〜５のキャップ装着構造を用いたことを特徴とする機械装置。
【請求項７】
請求項1〜５のキャップ装着構造を用いたことを特徴とする画像形成装置。
【発明の詳細な説明】
【技術分野】
【０００１】
本発明は、コピー機等の画像形成装置のような機械装置の外装部等、プラスチックの外装を持つ様々な機械等に適用可能なキャップ装着装置に関する。
【背景技術】
【０００２】
特許文献１には、パネル相互を用意に連結固定するリベットであり、頭部を工具等で回転させることにより容易に取外しができるプッシュリベットが開示されており、このプッシュリベットは、取り外しの容易性により、本来の上記用途の他に、円筒の開口の隙間埋めにも流用できるものとなっている。
【０００３】
また特許文献２には、外装カバーに形成された開口部を封止することにより、外装カバーを開口部が形成される前の状態に復帰させることができる外装カバーの再生方法、保護キャップおよび画像形成装置が開示されている。
【０００４】
さらに、特許文献３には、コネクタ等を接続の為、機械外装部にミシン目部を設け、コネクタ等取付時に切り取る構造について、この切り取った部品を再利用し、別部材を使用することで再び開口部を塞ぐことができる形状が提案されている。
【０００５】
【特許文献１】実開平6-40428号公報
【特許文献２】特開2004-260148号公報
【特許文献３】特開2002-070601号公報
【発明の開示】
【発明が解決しようとする課題】
【０００６】
本発明は、上述した従来の諸問題点にかんがみ、プラスチックの外装を持つ様々な機械等に適用可能で、機械等に取り付けやすく、外観も向上させ得るキャップと、これを用いた装置を提供することを目的とする。
【課題を解決するための手段】
【０００７】
本発明のキャップの装着構造のうち請求項１に係るものは、キャップ本体に設けた爪形状部と、該爪形状部を、機械装置の取付部の引掛け形状によりスナップフィットにて取り付けかつ取り外すことができるキャップの装着構造において、前記キャップ本体の外形が円形または略円形状であって、前記爪形状部により前記取り付け部に対して一定の方向にのみ取付け可能で、前記キャップ本体の表面にコイン等での回し操作用の溝形状部を設け、コイン等にて回転させることで前記爪形状部の爪が前記取り付け部に設けた回り止めの段差を乗り越え、所定角度以下の回転で取り外しが可能な位置へ移動可能としてなることを特徴とする。
【０００８】
同請求項２に係るものは、請求項１のキャップの装着構造において、前記キャップ本体と前記取付部に設けた傾斜形状により、前記キャップの回転時に該キャップが前記取付部を設けた面から飛び出して容易に取り外し可能な状態になり得ることを特徴とする。
【０００９】
同請求項３に係るものは、請求項２のキャップの装着構造において、前記キャップ本体を所定方向回りに回すことで、前記キャップ本体の爪形状部が弾性変形により前記取り付け部の回り止め形状部を乗り越え、前記キャップ本体に設けた前記斜面形状と前記取付部に設けた前記斜面形状とにより、前記キャップ本体の斜面形状が前記取付部の斜面形状に乗りあがり、該斜面形状に連なる平坦面位置まで移動することで前記キャップ本体が前記取付部を設けた面から飛び出し、所定角度どちらかの方向へ回すことで前記爪形状部と前記取付部の取付を解除することを特徴とする。
【００１０】
同請求項４に係るものは、請求項２または３のキャップの装着構造において、前記爪形状部を前記キャップ本体の着脱方向の軸線の回りで対称位置に設け、該付け系上部の先端で前記取付部の前記傾斜形状の装着方向奥側面に引っ掛ける可能とし、前記キャップ本体を所定角度回した位置で前記取付部の前記傾斜形状が終わり、前記爪形状部が前記取付部の斜面部から外れて前記キャップ本体が取り外し可能としてなることを特徴とする。
【００１１】
同請求項５に係るものは、請求項１から４のいずれかのキャップ装着構造において、装着状態で前記キャップ本体の少なくとも前記溝形状を設けた面が前記機械装置の取付部から露出していることを特徴とする。
【００１２】
請求項６に係るものは、請求項1〜５のキャップ装着構造を用いたことを特徴とする機械装置である。
【００１３】
同請求項７に係るものは、請求項1〜５のキャップ装着構造を用いたことを特徴とする画像形成装置である。
【発明の効果】
【００１４】
本発明によれば、キャップのスナップフィット形状により、組立工程では容易に取り付けることができ、またコインにて容易に取外せる機構を設けているので、ユーザーによる取り外しが必要な部分に使用可能である。
【発明を実施するための最良の形態】
【００１５】
以下本発明を実施するための最良の形態を、図に示す実施例を参照して説明する。
【実施例１】
【００１６】
図１は本発明に係るキャップ装着構造を用いる対象となる機械、装置として画像形成装置（図の例は複写機）を示す正面図、図２は比較のために従来の使用形態を示す斜視図、断面図である。画像形成装置本体１に大容量給紙ユニット２等のオプションユニット等を取り付ける際には、基準のピン取付やネジ止め等のために画像形成装置本体１の外装部（一般的には多くの部位がプラスチック製となっている）に開口が必要となることがある。
【００１７】
例えば、図２、３のように、画像形成装置本体１の外装面１ａに、複数の開口３を設け、そこに大容量給紙ユニット２等のオプションユニット等を取り付けるための治具（例えば位置決めピン４をもうけたり、キャップ５で塞いだししている。なお、キャップ５で開口３をふさぐのは、勿論ながら、オプション品を取り付けないときは外装部の表面に開口３が残って外部に向いて露出した状態となってしまい、外観を低下させる。そこで、目隠し用のキャップ５等の取り付けが必要となるのである。なお図３において、６は画像形成装置本体１内の構造体である。
【００１８】
本発明のキャップは図２のように画像形成装置等の外装面において、上記のような開口を塞ぐ際等に適用可能である。
【００１９】
図４はキャップ１０の概要図で、（Ａ）は表側からの斜視図、（Ｂ）は裏側からの斜視図である。図中１１は、外形が円形または略円形状のキャップ本体、１２、１２は爪形状部であり、キャップ本体１１の表面にはコイン等での回し操作用の溝形状部１３を設けてある。また裏面側には、斜面部１４、１４が形成してある。斜面部１４、１４の頂部１５は小さな矩形の平坦面としてある。爪形状部は径方向で対称位置に設けてあり、その他もこれに対応して径方向で対象となるように、あるいはキャップ本体１１の軸線周りで対称に設けてある。
【００２０】
図４（Ｃ）は画像形成装置本体１側の外装部に設けた取付部の開口３の内部形状を示す斜視図と、同正面図（Ｄ）である。この部位には、キャップを取付ける際には、キャップ１０に設けた爪形状部１２と、開口３の内部へ突出した引掛け形状部１５にて、スナップフィットによりキャップ１０を取り付けることができるようになっている。この状態を図５に断面図として示す。開口３の内部には、引掛け形状部１５、回り止め形状部１６、壁形状部１７、斜面部１８が設けてあり、斜面部１７の頂部は、斜面部１３の頂部１４と対応する小さな矩形の平坦面（乗りあがり面１４ａ）としてある。
【００２１】
この構造で、図４（Ｃ）、（Ｄ）のようにスナップフィットで取り付けたキャップ１０を反時計回りに回すことで、キャップ１０の爪形状部１２が弾性変形により回り止め形状部１６を乗り越え、キャップ１０に設けた斜面形状部１４と取付部に設けた斜面形状部１８により、キャップ１０の斜面形状部１４が斜面形状部１８を乗りあがり面１８ａの位置まで移動することで、キャップ１０が画像形成装置本体１側の外装部の取付面から飛び出る。そして、図示の例では９０度までキャップ１０を回すことで、取り付け時は引掛け形状部１５の位置にあったキャップ１０の爪形状部１２が、取付部の２０で示す位置まで移動し、爪形状部１２が取付部から解除される。
【００２２】
なお、取付時はキャップ１０が取付面に埋め込まれているが、回転時に上述の機構により取付面から飛び出すので容易に取り外すことができるようになる。従来のキャップにおいては、スナップフィットにて取り付けるだけなので、一度取付けてしまうと、つまみ等の工具を用いなければ取り外しが出来なかったが（図３（Ｂ）参照）、本実施例のキャップ１０は表面に設けられた溝形状部１３を利用し、キャップ１０をコイン等で回転させることで容易に取外すことができる。
【００２３】
なお、図６は図３と比較して示す実際の使用状態の概要図である。すなわち、キャップ取付時はキャップが外装面からの突出もなくて外観が良く、キャップを反時計回りに回転させると外装面から飛び出し、容易に取外せることも確認出来る。
【００２４】
なお、本実施例のキャップは、図７に示すように、反時計回りに９０度回転させて取外しが可能なものであるが、別な回転角度、また時計回りにて取り外しが可能なキャップも作成できる。
【００２５】
すなわち上述のように、キャップのスナップフィット形状により、組立工程では容易に取り付けることができ、またコインにて容易に取外せる機構を設けているので、ユーザーによる取り外しが必要な部分に使用可能である。また取り付けに方向性を持たせることで、コイン回し用の溝方向を統一して外観性を良くし、且つ、コインによる回転による簡単な取り外しが可能とする。そして傾斜形状により、キャップが取り付いている際は、取付面に対して突出部がなく埋まった状態となるので外観が良く、回転させて取外す際にはキャップが取付面から飛び出すので、取り外しが容易となる。
【００２６】
また、キャップ回転時にキャップが取付け面より飛び出してくる機構を設けることで、キャップが取付け面に埋め込まれる形状となっていても容易に取り外しが可能となる。また、機械の低コスト化の要求が高まっているので、出来るだけ安価で上記機能を満たす部品を作成することが目的であり、本発明により部品１点追加にて上記要求を満たすことが出来る。 
【００２７】
さらに、取付面からの突出がなく、且つ、例えば10mm以下程度の浅い深さがあれば本キャップを使用できるので、取付時の外観も良く、小スペースにおいて使用可能である。そして、キャップが取付け面に埋め込まれることで外観を良くし、小スペースへの小さいキャップでの目的達成を図れる。
【００２８】
なお、様々なサイズで作成可能なので、塞ぐ開口部の大きさに合わせたキャップを作成することができ、今までよりも取り付けやすく外観的にも良いものを提供できる。
【００２９】
さらに、普段は使用しないが、状況に応じて必要となる開口部の目隠しとしても使用可能である。
【００３０】
なお本発明のキャップ取り付けの際には、取り付けられる側にも対応する形状、構造が必要となることは上述の説明からも言うまでもない。
【図面の簡単な説明】
【００３１】
【図１】発明に係るキャップ装着構造を用いる対象となる機械、装置として画像形成装置を示す正面図
【図２】比較のために従来の使用形態を示す斜視図
【図３】同断面図
【図４】キャップ１０の概要図で、（Ａ）は表側からの斜視図、（Ｂ）は裏側からの斜視図、画像形成装置本体側の外装部に設けた取付部の開口の内部形状を示す斜視図（Ｃ）と、同正面図（Ｄ）
【図５】同断面図
【図６】図３と比較して示す実際の使用状態の概要図
【図７】本実施例のキャップの実際の使用状態を示す斜視図
【符号の説明】
【００３２】
１：画像形成装置本体
２：容量給紙ユニット
１ａ：画像形成装置本体１の外装面
３：開口
４：位置決めピン
５：キャップ
６：画像形成装置本体内の構造体
１０：キャップ
１１：外形が円形または略円形状のキャップ本体
１２：爪形状部
１３：溝形状部
１４：斜面部
１４ａ：斜面部の頂部
１５：引掛け形状部
１６：回り止め形状部
１７：壁形状部
１８：斜面部
１８ａ：乗りあがり面
【図１】
2010026108.tif 000003
【図２】
2010026108.tif 000004
【図３】
2010026108.tif 000005
【図４】
2010026108.tif 000006
【図５】
2010026108.tif 000007
【図６】
2010026108.tif 000008
【図７】
2010026108.tif 000009